(57)【要約】      （修正有）【課題】病人の下半身を温水洗浄し、洗浄袋を設置し、温風を吹き込み、着脱ファスナ−を開き温風乾燥、床ずれを防止する。【解決手段】温水容器より、電動ポンプ等で温水を汲み上げ、下半身を洗浄し、手持ち温風機に依り身体を乾燥のため、足より腹部まで入る防水性の有る袋を作り、袋の上面中央に着脱用ファスナ−を装着し、並列に温水ホ−ス先端のノズルを、手持ち温風機のノズル等に挿入する。ファスナ−を装着し、腹部に密着させるため、洗浄袋の腹部回り内面に撥水処理したウレタンホ−ムを貼付して持出し部分を作り、面ファスナ−を貼付し、腹部に密着する。尻の下に設置した排水口より洗浄水を排水し、内栓を閉じ、手持ち温風機で温風を吹き込み、サウナ効果を得て着脱ファスナ−を開き、下半身を乾燥し、血液循環を良好にし、床ずれを防止する。【選択図】図２
0003134855.tif 000002
【実用新案登録請求の範囲】
【請求項１】
本考案は、寝たきり病人の、下半身が汚れた場合、寐た状態で、温水入れ容器より、電動ポンプ等で温水を吸引、下半身を洗浄するため、腹部より、足まで入る、防水性の有る袋を形成、腹部に密着出来る様に、表面にシリコンを付着した、ウレタンホ−ムを撥水処理、持ち出し部分を形成、面ファスナ−を貼付重ね合わせ腹部に密着、袋上面の中央に、着脱用ファスナ−を装着、温水温風ノズル挿入専用ファスナ−を、並列に装着、温水ホ−ス先端に装着、ノズルを挿入し、温水を注ぎかけ汚れを洗浄し、洗浄袋の尻の下に設置した、排水袋の部分に排水口を設置し内栓を付け、排水ホ−スを介し、汚水を排水受け容器に排水、ホ−スの内栓を閉じ、手持ち温風機の先端の、ノズルを挿入して温風を吹き込み、サウナ効果を得る、着脱ファスナ−を開き、身体を乾燥する事で、下半身の血行を、良好にして、床ずれを防止する、サウナ効果の有る、下半身洗浄用袋の形成。
【請求項２】
本考案の、洗浄袋を装着使用する、多段傾斜機能を設置した、ベットに、敷くウレタンホ−ム製の、マットの表面にシリコンを付着、撥水処理し、洗浄袋の尻の下の部分に、排水口を通す穴を開け、洗浄袋の排水ホ−スより、ベットの下にも、板が張って有る場合、穴を開け、ベットの下に設置した、排水受け、容器に、洗浄水を排水するため、多段傾斜機能により、楽な姿勢にして、洗浄排水が早く排出でき、洗浄袋を除去した後に、尻の下に吸湿シ−ト等を敷き、使用する、下半身洗浄袋に付属する、敷きマットの形成。
【考案の詳細な説明】
【技術分野】
【０００１】  本考案は、寝たきり状態の病人の、下半身の汚れを洗浄し、手持ち温風機に依り、身体を乾燥のため、腹部より足まで入る、防水性の有る袋の上面に着脱のため袋の中央に、ファスナ−を装着し、並列面に、手持ち温風機のノズルと洗浄用、温水ホ−スの先端ノズルを、挿入する専用、ファスナ−を、装着して温水を汲み上げ、温水ホ−スの先端の、ノズルを挿入し温水洗浄し、下半身を洗浄する、腹部に密着する、ウレタンホ−ムを、シリコンを付着して撥水処理持ち出し部分を形成し、面ファスナ−を貼付、腹部に密着し洗浄後に、温風を空気ポンプ等で吹き込む事に依り、サウナ効果が有り、着脱ファスナ−を開き身体を乾燥し、血行を良好にして、床ずれ防止効果が有る、サウナ兼下半身洗浄器に関する。
【背景技術】
【０００２】  本考案は、寝たきり病人の、下半身の汚れを清潔にする場合、紙オムツ等を取り除き温水タオル等で、下半身の汚れを拭き取り、下半身を清潔にするため風呂に入れる際にも、病人を抱き起こす事で、介護人の腰に負担が掛かり腰を痛める事が多い、労力を減らす効果が有る、サウナ兼下半身洗浄器の提供。
【考案の開示】
【考案が解決しょうとする課題】
【０００３】  本考案の、下半身を洗浄する袋は、寝たきり病人の、下半身を温水洗浄して温風を吹き込む事で、サウナ効果が得て、着脱ファスナ−を開き、身体を乾燥する事に依って、下半身を清潔にし、血液循環を、良好にする事を目的として普通の、ベットにも装着出来る様に、考えられた、介護用機器の提供。
【課題を解決するための手段】
【０００４】  本考案は、寝たきり状態の病人の下半身の、汚れを洗浄するため、温水容器より、電動ポンプ等により、温水を汲み上げ、下半身を洗浄、手持ち温風機に依り、身体を乾燥のため、足より腹部まてげ入る、防水性の有る袋を形成して袋の上面中央に、着脱用ファスナ−を装着、並列に、温水ホ−ス先端に付けたノズル、温風機のノズル等を挿入する、ファスナ−を装着、腹部に密着させるため、洗浄袋の腹部に、撥水処理した、ウレタンホ−ムを貼付、持出し部分を形成し、面ファスナ−を貼付し、着脱出来る、下半身に温水を注ぎ、洗浄して洗浄袋の、尻の下に設置した、排水口より洗浄水を排水、内栓を閉じ温風機で温風を送入して、サウナ効果を得て、着脱ファスナ−を開き、下半身を乾燥し血液循環を良好にし床ずれを防止する、下半身洗浄袋を形成し問題を解決する。
【０００５】排水効果を良くするため、簡易ベット等の、敷きマットを撥水処理し、尻の下部分に、排水ホ−スを通す穴を開け、排水ホ−スを介し、ベットの下に設置の排水受け容器に楽な姿勢で、排水するため、ベットの、多段傾斜装置に依り、上体を起し、楽な姿勢で、下半身を洗浄する事で、洗浄汚水が早く排出、出来介護人の労力を軽減する事が出来、洗浄袋に付属する、ベットの敷きマット。
【考案の効果】
【０００６】  本考案は、簡易ベット等にも使用出来る、下半身洗浄器を使用する事に依り血液循環が良好に成り、床ずれを防止する事が出来る、ベットの敷きマットの尻の部分に、排水ホ−スを通す穴を開け、排水ホ−スを介し、早く洗浄汚水をベットに装置した、多段傾斜機能により、楽な姿勢で早く排水容器に排水出来下半身を洗浄した後に、吸湿シ−トを敷き込む事で、汗等の湿気を吸湿出来る更に、加湿温風機に依り、加湿した温風を吹き込むみ、サウナ効果を増加する事も出来、シリコンを付着し撥水処理した、ウレタンホ−ム製、敷きマットを形成した、下半身洗浄袋の提供。
【考案を解決するための最良の形態】
【０００７】  本考案は、下半身を温水洗浄するため、腹部から足まで入る、防水性の有る袋を形成、袋の上面に着脱用、ファスナ−を装着し、並列面に温水洗浄、温風送風機の先端の、ノズル挿入用、ファスナ−を装着して、電動ポンプ等に依り温水を汲み上げ、温水ホ−ス先端の、ノズルを挿入し、下半身を温水洗浄して洗浄排水を、簡易ベットの、敷きマットに、穴を開け排水ホ−スを通し、排水ホ−スを介し、ベットの下に設置した、排水受け容器に排水し、手持ち温風機ノズルより、下半身洗浄袋に、温風を吹き込み、サウナ効果を得て、着脱用、ファスナ−を開き、身体を乾燥し、血液循環を良好にし、床ずれを防止する。
【実施例１】
【０００８】貼付図面に従って実施例を説明します、１、は下半身を洗浄する防水袋、２は腹部に密着する撥水処理した、ウレタンホ−ム、を貼付した部分、３は、持ち出し部分、４、に接着する、面ファスナ−、５、洗浄袋上面に、装着する着脱ファスナ−と並列に装着する、温水、温風のノズル挿入用、ファスナ−、６を開き温水容器より、ポンプで温水を、温水ホ−ス先端ノズル、１４より温水を注ぎ掛け、下半身を洗浄し、尻の下に設置した排水口、７と排水ホ−ス、８に装着した開閉用内栓、９を開き、排水ホ−スを介し、排水受け容器、１０に、排水、手持温風機の、ノズルより温風を並列面に装着した、ファスナ−を開き温風を吹き込み、サウナ効果を得て、着脱ファスナ−を開き、身体を乾燥する洗浄袋を形成する。
【実施例２】
【０００９】本考案の、下半身洗浄袋に使用する、簡易ベット等に使用する、敷きマットを撥水処理した、ウレタンホ−ム、１１の、尻の下部分に排水ホ−スを通す、穴１２を開け、洗浄袋の尻の部分設置し、排水口に接続した、排水ホ−スを通し排水受け容器に洗浄水を排水、ベットに設置の、多段傾斜機能により、上体を楽にして、下半身を温水洗浄乾燥する、ベットの敷きマットを形成し使用後に吸湿シ−トを敷き、汗等を吸湿し、血液循環を良好にし、床ずれを防ぐ効果が有る、洗浄袋に使用する、ベットの敷きマットを形成する。
【産業上の利用可能性】
【００１０】  本考案の、下半身洗浄器を使用する人の場合、戦前、戦後生まれの人は、食料不足の時代で、成長期に蛋白質が充分摂取する事か、出来なかったため血管が脆く、脳梗塞、心筋梗塞、動脈瘤等に成る事が、統計に表れて居る事が証明されて居る、濃梗塞、足の動脈瘤等を、下半身を洗浄、サウナ効果に依り血液循環を良好にして、寝たきり状態に成る、事を防ぐ効果が有る。
【図面の簡単な説明】
【００１１】
【図１】  本考案の下半身洗浄袋のベットの側面透視図、
【図２】  下半身洗浄袋を装着した側面透視図、
【図３】  敷きマットに排水ホ−スと排水栓に通す部分の拡大図、
【図４】  下半身洗浄袋の平面図、
【符号の説明】
【００１２】１        下半身を洗浄する防水袋、
２        腹部に密着するため撥水処理したウレタンホ−ム貼付部分、
３        防水袋腹部の持ち出し部分、
４        持ち出し部分を接着する面ファスナ−、
５        洗浄袋の上面に装着する着脱ファスナ−、
６        並列に装着するノズル挿入用ファスナ−、
７        排水口、
８        排水ホ−ス、
９        排水ホ−スに付けた開閉する内栓、
１０      排水受け容器、
１１      撥水処理したウレタンホ−ム、
１２      尻の下の部分に開けた排水ホ−スを通す穴、
１３      温水ホ−スとノズル、
１４      温水ポンプと温水容器
【配列表フリ−テキスト】
【００１３】本考案の、実用新案登録願の他に、
特願平１０−１２９４２２
特願２００６−２７４４９５
実用新案登録願、整理番号ＯＺＸ２００７−２  出願中です、
【図１】
0003134855.tif 000003
【図２】
0003134855.tif 000004
【図３】
0003134855.tif 000005
【図４】
0003134855.tif 000006
【手続補正書】
【提出日】平成19年4月23日(2007.4.23)
【手続補正１】
【補正対象書類名】実用新案登録請求の範囲
【補正対象項目名】全文
【補正方法】変更
【補正の内容】
【実用新案登録請求の範囲】
【請求項１】
本考案は、寝たきり病人の、下半身が汚れた場合、電動ポンプで温水を吸引し下半身を洗浄するため、腹部より足まで入る、防水性の袋を作り、腹部回りに密着するため、ウレタンホ−ムを撥水処理、持ち出し部分に、面ファスナ−を貼付し、重ね合わせ腹部に密着、袋上面の中央に、着脱用ファスナ−を装着し温水、温風ノズル挿入専用ファスナ−を、並列に装着、温水ホ−スの、先端のノズルを挿入し、温水を注ぎかけ汚れを洗浄し、洗浄袋の尻の下に設置した、排水袋の部分に、排水口を設置し内栓を付け、排水ホ−スを介し、汚水を排水受け容器に排水、洗浄袋の内栓を閉じ、手持ち温風機の先端の、ノズルを挿入して温風を吹き込み、サウナ効果を得る、着脱ファスナ−を開き、身体を乾燥する事で、下半身の血行を良好にし、サウナ効果の有る下半身洗浄用袋を作り多段傾斜機能の有る、ベットに敷く、ウレタンホ−ム製の、マットの表面に、シリコンを浸透付着し、撥水処理し、洗浄袋の尻の下の部分に、排水ホ−スを通す、穴を開け、排水ホ−スを介し、ベットの下に設置した、排水受け容器に排水が早く排出できる、下半身洗浄袋を使用する、敷きマットの装着ベット。
【手続補正２】
【補正対象書類名】明細書
【補正対象項目名】全文
【補正方法】変更
【補正の内容】
【考案の詳細な説明】
【技術分野】
【０００１】  本考案は、寝たきり状態の病人の、下半身の汚れを洗浄し、手持ち温風機に依り、身体を乾燥のため、腹部より足まで入る、防水性の有る袋を作り、袋の上面、中央に、着脱用ファスナ−を装着、並列面に、手持ち温風機のノズルと洗浄用、温水ホ−スの先端ノズルを、挿入する専用、ファスナ−を、装着して温水を汲み上げ温水ホ−スの先端の、ノズルを挿入し、下半身を温水洗浄する、洗浄袋の腹部回り内側に密着のため、ウレタンホ−ムを、撥水処理して貼付し持ち出し部分を作り、面ファスナ−を貼付し、腹部に密着し洗浄後に、温風を手持ち温風機で吹き込む事に依り、サウナ効果が有り、着脱ファスナ−を開き身体を乾燥し、血行を良好にして、床ずれ防止効果が有る、下半身洗浄袋を、ベットの敷きマットに設置する、下半身温水洗浄器に関する。
【背景技術】
【０００２】  本考案は、寝たきり病人の、下半身の汚れを清潔にする場合、紙オムツ等を取り除き温水タオル等で、下半身の汚れを拭き取り、下半身を清潔にするため風呂に入れる際にも、病人を抱き起こす事で、介護人の腰に負担が掛かり腰を痛める事が多い、労力を減らす効果が有る、下半身洗浄袋を、多段傾斜機能のベットに設置して、楽な姿勢で下半身を温水洗浄出来る、温水洗浄器の提供。
【考案の開示】
【考案が解決しょうとする課題】
【０００３】  本考案の、下半身を洗浄する袋は、寝たきり病人の、下半身を温水洗浄して手持ち温風機で、温風を吹き込む事で、サウナ効果が得て、着脱ファスナ−を開き、身体を乾燥する事に依って、下半身を清潔にし血液循環を、良好にして床ずれ等を防止する事を目的とし、多段傾斜機能付き、ベットを使用し、楽な姿勢に身体を起こし、ベットの敷きマットに、洗浄袋の排水口に接続した排水ホ−スを通す穴を開け、排水ホ−スを通し、ベットの下に置いた、排水受け、容器に排水した後に、洗浄袋の排水口に設置した、開閉栓を閉じ、下半身洗浄袋の接続を外し、着脱用ファスナ−を開き、下半身洗浄袋を脱がせ、元に戻す上述の、ヘットに設置する、下半身温水洗浄器を提供する。
【課題を解決するための手段】
【０００４】  本考案は、寝たきり状態の病人の下半身の、汚れを洗浄するため、温水容器より、電動ポンプ等により、温水を汲み上げ、下半身を洗浄、手持ち温風機に依り、身体を乾燥のため、足より腹部まてげ入る、防水性の有る袋を作り袋の上面中央に、着脱用ファスナ−を装着、並列に、温水ホ−ス先端のノズルを、手持ち温風機のノズル等を挿入する、ファスナ−を装着し、腹部に密着させるため、洗浄袋の腹部回り内面に、撥水処理した、ウレタンホ−ムを貼付して、持出し部分を作り、面ファスナ−を貼付し、腹部に密着する、下半身に温水を注ぎ洗浄して洗浄袋の、尻の下に設置した、排水口より洗浄水を排水、内栓を閉じ、手持ち温風機で温風を吹き込み、サウナ効果を得て、着脱ファスナ−を開き、下半身を乾燥し、血液循環を良好にし、床ずれを防止する、下半身洗浄袋を作り、問題を解決する。
【０００５】排水効果を良くするため、簡易ベット等の、敷きマットを撥水処理し、尻の下部分に、排水ホ−スを通す穴を開け、排水ホ−スを介し、ベットの下に設置の排水受け容器に楽な姿勢で、排水するため、ベットの、多段傾斜装置に依り、上体を起し、楽な姿勢で、下半身を洗浄する事で、洗浄汚水が早く排出、出来介護人の労力を軽減する事が出来、洗浄袋を設置する、ベットの敷きマット。
【考案の効果】
【０００６】  本考案は、簡易ベット等にも使用出来る、下半身洗浄器を使用する事に依り血液循環が良好に成り、床ずれを防止する事が出来る、ベットの敷きマットの尻の部分に、排水ホ−スを通す穴を開け、排水ホ−スを介し、早く洗浄汚水をベットの下に置いた、排水容器に、多段傾斜機能により、楽な姿勢で早く排水容器に排水出来る、下半身を洗浄した後に、着脱ファスナ−を開き、洗浄袋を脱がし、吸湿シ−トを敷き込む事で、シリコンを浸透付着して撥水処理した、ウレタンホ−ム製、敷きマットに装着する、下半身温水洗浄袋の提供。
【考案を解決するための最良の形態】
【０００７】  本考案は、下半身を温水洗浄するため、腹部から足まで入る、防水性の有る袋を形成、袋の上面に着脱用、ファスナ−を装着し、並列面に温水洗浄ホ−ス先端のノズルと手持ち温風機のノズルの挿入用、ファスナ−を装着して、電動ポンプ等に依り温水を汲み上げ、温水ホ−ス先端の、ノズルを挿入、下半身を温水洗浄し、洗浄排水を、簡易ベットの敷きマットに、穴を開け排水ホ−スを通し、排水ホ−スを介し、ベットの下に置いた、排水受け容器に排水、手持ち温風機ノズルより、下半身洗浄袋に温風を吹き込み、サウナ効果を得、着脱用ファスナ−を開き、身体を乾燥し、血液循環を良好にし、床ずれを防止する。
【実施例１】
【０００８】貼付図面に従って実施例を説明する、１は下半身を洗浄する防水袋、２は腹部回りに密着する撥水処理した、ウレタンホ−ムを貼付した部分、３は持ち出し部分、４に接着する、面ファスナ−、５は洗浄袋に装着する、着脱ファスナ−６は、並列に装着する、温水、温風用ノズル挿入用、ファスナ−を開き、温水容器より電動ポンプ、１４で温水を温水ホ−ス先端ノズル、７より温水を注ぎ掛け、下半身を洗浄し、洗浄袋の尻の下に設置した、排水口、８と排水ホ−ス９に装着した開閉用内栓、１０を開き、排水ホ−スより排水受け容器、１１に排水、手持温風機の、ノズルより温風を並列面に装着した、ファスナ−を開き温風を吹き込み、サウナ効果を得て、着脱ファスナ−を開き、身体を乾燥する洗浄袋を作り、多段傾斜機能付き、ベットに使用する、敷きマットを撥水処理した、ウレタンホ−ム、１２の、尻の下部分に、排水ホ−スを通す穴、１３を開け、排水口に接続した、排水ホ−スを通し、排水受け容器、に洗浄水を排水ベットに設置の、多段傾斜機能により、上体を楽な姿勢にして、下半身を温水洗浄し乾燥する、ベットの敷きマットを作り、使用後に吸湿シ−ト等を敷き、吸湿し、血液循環を良好にし、床ずれを防ぐ効果が有る、洗浄袋に装着する、ベットの敷きマットを作り提供する。
【実施例２】
【０００９】本考案の、下半身洗浄袋に使用する、簡易ベット等に使用する、敷きマットを撥水処理した、ウレタンホ−ム、１１の、尻の下部分に排水ホ−スを通す、穴１２を開け、洗浄袋の尻の部分設置し、排水口に接続した、排水ホ−スを通し排水受け容器に洗浄水を排水、ベットに設置の、多段傾斜機能により、上体を楽にして、下半身を温水洗浄乾燥する、ベットの敷きマットを形成し使用後に吸湿シ−トを敷き、汗等を吸湿し、血液循環を良好にし、床ずれを防ぐ効果が有る、洗浄袋に使用する、ベットの敷きマットを形成する。
【産業上の利用可能性】
【００１０】  本考案の、下半身洗浄器を使用する人の場合、戦前、戦後生まれの人は、食料不足の時代で、成長期に蛋白質が充分摂取する事か、出来なかったため血管が脆く、脳梗塞、心筋梗塞、動脈瘤等に成る事が、統計に表れて居る事が証明されて居る、濃梗塞、足の動脈瘤等を、下半身を洗浄、サウナ効果に依り血液循環を良好にして、寝たきり状態に成る、事を防ぐ効果が有る。
【図面の簡単な説明】
【００１１】
【図１】本考案の下半身洗浄袋のベツトの側面透視図、
【図２】下半身洗浄袋を装着した側面透視図、
【図３】敷きマットに排水ホ−スと排水栓に通す部分の拡大図、
【図４】下半身洗浄袋の平面図、
【符号の説明】
【００１２】１        下半身を洗浄する防水袋、
２        腹部に密着するため撥水処理したウレタンホ−ム貼付部分、
３        防水袋腹部の持ち出し部分、
４        持ち出し部分を接着する面ファスナ−、
５        洗浄袋の上面に装着する着脱ファスナ−、
６        並列に装着するノズル挿入用ファスナ−、
７        温水ホ−ス先端ノズル、
８        排水口、
９        排水ホ−ス、
１０      開閉用内栓、
１１      排水受け容器、
１２      敷きマットを撥水処理したウレタンホ−ム、
１３      排水ホ−スを通す穴、
１４      温水ポンプと温水容器
【手続補正３】
【補正対象書類名】図面
【補正対象項目名】全図
【補正方法】変更
【補正の内容】
【図１】
0003134855.tif 000007
【図２】
0003134855.tif 000008
【図３】
0003134855.tif 000009
【図４】
0003134855.tif 000010